Podtech/llm-jp-corpus-v4-ja_patent huggingface dataset:
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
Ｎ末端に位置するペプチド切断部位およびＣ末端に位置するペプチド切断部位によって隣接されており、および、そうではない場合、前記ペプチド切断部位がＶＳＤＬペプチドに存在しないＶＳＤＬペプチドのコンカテマー型コピーを含む融合ポリペプチドを発現する工程と、
前記ペプチド切断部位での切断を行う切断剤を用いて、前記融合ポリペプチドを前記ペプチド切断部位で切断する工程と
を含む組換え血管拡張物質（ＶＳＤＬ）ペプチドの産生方法であって、
前記融合ポリペプチドを切断する工程が、前記融合ポリペプチドから前記ＶＳＤＬペプチドを切り出し、ならびに
前記ＶＳＤＬペプチドがＣ末端アルギニン残基を含む天然の配列を含み、前記ＶＳＤＬペプチドのそれぞれのコンカテマー型コピーのＣ末端に位置しているペプチド切断部位がＣ末端アルギニン残基を含み、および、前記融合ポリペプチド中の最後のＶＳＤＬペプチドを除くそれぞれの前記ＶＳＤＬペプチドの前記Ｃ末端アルギニン残基が追加で次のＶＳＤＬペプチドの前記Ｎ末端に位置するペプチド切断部位として機能する方法。
【請求項２】
前記ＶＳＤＬペプチドが、配列番号２に記載のアミノ酸配列を含むまたはそれからなる請求項１記載の方法。
【請求項３】
前記ペプチド切断部位が、トリプシン切断部位であり、および、切断剤がトリプシンまたはトリプシン様酵素である請求項１または２記載の方法。
【請求項４】
切断された融合ポリペプチドのｐＨを５未満に調整する工程と、
少なくとも１つのアニオン交換法を用いて、消化された融合ポリペプチドから前記ペプチドを精製する工程と
をさらに含む請求項１〜３のいずれか１項に記載の方法。
【請求項５】
前記ペプチドを噴霧乾燥または凍結乾燥することをさらに含む請求項１〜４のいずれか１項に記載の方法。
【請求項６】
前記融合ポリペプチドが、前記ペプチドの２個〜２０個のコンカテマー型コピーを含む請求項１〜５のいずれか１項に記載の方法。
【請求項７】
前記融合ポリペプチドが、前記ペプチドの３個のコンカテマー型コピーを含む請求項１〜６のいずれか１項に記載の方法。
【請求項８】
前記融合ポリペプチドが、前記ペプチドの１０個のコンカテマー型コピーを含む請求項１〜７のいずれか１項に記載の方法。
【請求項９】
前記融合ポリペプチドが、Ｃ末端ペプチド切断部位を有するリーダー融合パートナーを含む請求項１〜８のいずれか１項に記載の方法。
【請求項１０】
前記リーダー融合パートナーが、Ｃ末端アルギニンまたはリジン残基を含む請求項９記載の方法。
【請求項１１】
前記融合ポリペプチドを発現する工程が、発現宿主として大腸菌を用いて行われる請求項１〜１０のいずれか１項に記載の方法。
【請求項１２】
前記ＶＳＤＬペプチドの２個〜２０個のコンカテマー型コピーをエンコードする少なくとも１つのヌクレオチド配列に作動可能に融合されるリーダー融合パートナーをエンコードするヌクレオチド配列を含む発現構築物であって、
前記リーダー融合パートナーがＣ末端トリプシン切断部位を有し、ならびに
前記ＶＳＤＬペプチドがＮ末端に位置するペプチド切断部位およびＣ末端に位置するペプチド切断部位によって隣接されており、および、そうではない場合、前記ペプチド切断部位がＶＳＤＬペプチドに存在せず、前記ＶＳＤＬペプチドがＣ末端アルギニン残基を含む天然の配列を含み、前記ＶＳＤＬペプチドのそれぞれのコンカテマー型コピーのＣ末端に位置しているペプチド切断部位がＣ末端アルギニン残基を含み、および、前記融合ポリペプチド中の最後のＶＳＤＬペプチドを除くそれぞれの前記ＶＳＤＬペプチドの前記Ｃ末端アルギニン残基が追加で、次のＶＳＤＬペプチドの前記Ｎ末端に位置するペプチド切断部位として機能する発現構築物。
【請求項１３】
前記ＶＳＤＬペプチドが、配列番号２に記載のアミノ酸配列を含むまたはそれからなる請求項１２記載の発現構築物。
【請求項１４】
ペプチドを組換えによって発現するための宿主細胞であって、請求項１２または１３記載の発現構築物を含む宿主細胞。
【請求項１５】
請求項１〜１１のいずれか１項に記載の方法により産生される組換えペプチド。
【請求項１６】
前記ＶＳＤＬペプチドの２個〜２０個のコンカテマー型コピーに連結されたリーダー融合パートナーを含む組換え融合ポリペプチドであって、
前記リーダー融合パートナーがＣ末端トリプシン切断部位を有し、ならびに
前記ＶＳＤＬペプチドがＮ末端に位置するペプチド切断部位およびＣ末端に位置するペプチド切断部位によって隣接されており、および、そうではない場合、前記ペプチド切断部位がＶＳＤＬペプチドに存在せず、前記ＶＳＤＬペプチドがＣ末端アルギニン残基を含む天然の配列を含み、前記ＶＳＤＬペプチドのそれぞれのコンカテマー型コピーのＣ末端に位置しているペプチド切断部位がＣ末端アルギニン残基を含み、および、前記融合ポリペプチド中の最後のＶＳＤＬペプチドを除くそれぞれの前記ＶＳＤＬペプチドの前記Ｃ末端アルギニン残基が追加で、次のＶＳＤＬペプチドの前記Ｎ末端に位置するペプチド切断部位として機能する組換え融合ポリペプチド。
【請求項１７】
前記ＶＳＤＬペプチドが、配列番号２に記載のアミノ酸配列を含む、またはそれからなる請求項１６記載のポリペプチド。
【手続補正書】
【提出日】平成28年3月10日(2016.3.10)
【手続補正１】
【補正対象書類名】特許請求の範囲
【補正対象項目名】請求項１７
【補正方法】変更
【補正の内容】
【請求項１７】
前記ハブ内に配置されたニードルをさらに備え、そのために、前記外側シールドの前記ハブに対する末端移動によって前記ばね要素を圧縮し、及び、前記ハブの前記末端から前記ニードルを延在させる、請求項１３に記載のアセンブリ。
【手続補正２】
【補正対象書類名】特許請求の範囲
【補正対象項目名】請求項１８
【補正方法】変更
【補正の内容】
【請求項１８】
前記外側シールドはさらに、前記基端上にＬｕｅｒコネクタを含む、請求項１７に記載のアセンブリ。
【手続補正３】
【補正対象書類名】特許請求の範囲
【補正対象項目名】請求項１９
【補正方法】変更
【補正の内容】
【請求項１９】
受動的に作動される安全なニードルアセンブリであって、
細長い円筒形本体を有するハブであって、該円筒形本体が、外面、長さを画定する末端及び基端、該ハブの前記長さを通じて延在するアパーチャ、少なくとも部分的に該ハブの前記長さに沿って延在する少なくとも２つの縦溝、及び、環状チャネルを持っている、ハブと、
回転可能に前記環状チャネル内に配置され且つ前記ハブに対して同軸の円筒形本体を有する係止リングであって、該係止リングの外側面から外向きに延びた少なくとも１つのリング要素及び該係止リングの前記外側面から外向きに延びた少なくとも１つの傾斜した形状の係止タブを備える係止リングであって、前記少なくとも１つのリング要素が基端、末端、及び、該基端から該末端へ延在する傾斜面を有し、及び、前記少なくとも１つの係止タブが前記円筒形本体の前記外面よりも延びた基端係止面を有する、係止リングと、
前記ハブに対して同軸で且つ前記係止リングの周りをスライド可能であり、開放末端と、ニードルがそこを通って移動することを可能にするアパーチャを持つ閉じた基端とを有する細長い中空の円筒形本体を備えた外側シールドであって、前記少なくとも１つのリング要素と係合する少なくとも１つの作動要素が該外側シールドの内面から内向きに突出し、該少なくとも１つの作動要素は前記ハブ上の縦溝内でスライド可能に移動する大きさとされ及び前記係止リング上の前記少なくとも１つのリング要素と協働して相互作用する形状を持ち、及び、少なくとも１つのフィンガーが該外側シールドから内向きに突出し及び前記ハブ上の縦溝内でスライド可能に移動する大きさとされている、外側シールドと、
前記外側シールド内で前記ハブの前記基端に隣接して配置されたばね要素と、
前記外側シールド内及び前記ばね要素内で前記ハブの前記基端から延在するニードルを備え、
前記ハブ上で基端方向に向けられた力により前記ばね要素の圧縮を生じさせ、該ニードルの先端を前記外側シールドの前記アパーチャを通じて延在させ、及び、前記係止リングを回転させるために末端に向けられる前記ばね要素への力を前記作動要素に発揮させて、その結果、前記外側シールド上の前記少なくとも１つのフィンガーが前記少なくとも１つの傾斜面と整列されることを特徴とするアセンブリ。
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
コアと、該コアの遠位端での切断ブローチと、を備える一体化骨融合インプラントと、
送り出しロッドと、
送り出しピンと、
フレキシブルな鞘と、を備える一体化インプラント送出組立体。
【請求項２】
前記送り出しピンが、前記一体化骨融合インプラントに永久に取り付けられている、請求項１に記載の組立体。
【請求項３】
前記送り出しピンが、伸縮自在である、請求項１に記載の組立体。
【請求項４】
前記切断ブローチが、前記コアの壁から形成される、請求項１に記載の組立体。
【請求項５】
前記切断ブローチが、前記コアの遠位端の中心に尖端を備える、請求項１に記載の組立体。
【請求項６】
前記送り出しピンが、前記一体化骨融合インプラント内で非係合で滑動するように構成されている、請求項１に記載の組立体。
【請求項７】
前記フレキシブルな鞘のピラミッド形の先端が、前記切断ブローチの近くの前記一体化骨融合インプラントの遠位端に位置決めされる、請求項１に記載の組立体。
【請求項８】
前記切断ブローチが、前記コアに結合される、請求項１に記載の組立体。
【請求項９】
前記切断ブローチが、該切断ブローチの先細りの遠位端に配置された複数の切断エッジを備える、請求項１に記載の組立体。
【請求項１０】
前記切断ブローチが、前記一体化骨融合インプラントが骨に挿通されるとき骨材料を除去するように構成された歯を備える、請求項１に記載の組立体。
【請求項１１】
コアと、該コアの遠位端での切断ブローチと、骨を通じて移動して切断するように構成された切断組立体を有する切断バリと、を備える骨融合インプラントと、
送り出しピンと駆動装置とを備え、前記切断バリを回転駆動するために前記切断バリ内で部分的に受け入れられるように構成された送り出しピン組立体と、
を備える一体化インプラント送出組立体。
【請求項１２】
前記駆動装置及び前記送り出しピンが、分離された連動構成要素である、請求項１１に記載の組立体。
【請求項１３】
前記送り出しピンが、前記切断バリのカニューレ内で滑動可能に受け入れられて、前記切断バリの遠位端から遠位に延在するように構成される、請求項１１記載の組立体。
【請求項１４】
前記駆動装置が、駆動ソケットと、駆動軸と、回転してロックするために前記骨融合インプラントの近位端でインプラント・ソケットと係合するように構成された駆動部材と、を備える、請求項１１に記載の組立体。
【請求項１５】
前記駆動部材が、前記インプラント・ソケットと係合されたときに前記切断バリを回転駆動するように構成される、請求項１４に記載の組立体。
【請求項１６】
前記送り出しピンが、前記駆動装置の前記駆動部材と係合するように構成されたピン・ソケットと、該ピン・ソケットから遠位に延在するピン軸と、を備える、請求項１４に記載の組立体。
【請求項１７】
前記ピン軸が、約５ｍｍ乃至約３０ｍｍの長さで前記切断バリの遠位端を越えて延在する、請求項１６に記載の組立体。
【請求項１８】
前記切断バリが、前記骨融合インプラントの中心軸に沿って位置決めされ、前記コア及び前記切断ブローチを通じて延在する、請求項１１に記載の組立体。
【請求項１９】
前記切断バリが、前記コア内で位置決めされている間、回転するように構成される、請求項１１に記載の組立体。
【請求項２０】
前記切断バリが、前記切断ブローチ内で位置決めされている間、回転するように構成される、請求項１１に記載の組立体。
【請求項２１】
前記切断組立体が、１セットの遠心のブレードを備え、該遠心のブレードが拡張した状態と引っ込んだ状態とを有し、該遠心のブレードが、拡張した状態では前記インプラントの遠位端を越えて延在し、引っ込んだ状態では前記インプラントの遠位端の内部に引っ込んでいる、請求項１１に記載の組立体。
【請求項２２】
多面の壁によって形成された中空の構造を有するコアと、
前記コアの近位端から前記コアの遠位端に延在する、前記コア内にある送り出しピン穴と、
前記多面の壁の遠位端での複数の切断エッジと、を備える骨融合インプラント。
【請求項２３】
前記多面の壁が、複数の連結する壁セクションを備えて、該壁セクションが、患者の中に挿入された後に独立して埋め込まれるとともに連結されるように構成された、請求項２２に記載の骨融合インプラント。
【請求項２４】
前記壁の先細りの遠位端が、前記壁の遠位エッジでギザギザの切断エッジを形成する、請求項２２に記載の骨融合インプラント。
【請求項２５】
前記インプラントが、三角形の断面を備える、請求項２２に記載の骨融合インプラント。
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
押出物が分散小滴を含んでなり、これらの分散小滴が少なくとも１種のカロテノイドおよび少なくとも１種の乳化保護コロイドおよび水を含んでなり、分散プロセスが押出機内で実施されることを特徴とする、押出物を製造する方法。
【請求項２】
前記方法が有機溶剤なしで実施される、請求項１に記載の方法。
【請求項３】
前記カロテノイドがβ−カロテンである、請求項１または２に記載の方法。
【請求項４】
前記乳化保護コロイドが、改質デンプン、パルミチン酸アスコルビル、ペクチン、アルギン酸塩、カラゲナン、ファーセレラン、デキストリン誘導体、セルロースおよびセルロース誘導体、リグノスルホネート、多糖類ガム、ゼラチン、植物タンパク質、動物タンパク質、レシチン、脂肪酸のポリグリセロールエステル、脂肪酸のモノグリセリド、脂肪酸のジグリセリド、ソルビタンエステル、ＰＧエステル、および糖エステルからなる群から選択される、請求項１〜３のいずれか一項に記載の方法。
【請求項５】
前記押出物の総重量を基準にして、０．５重量％〜５０重量％の少なくとも１種のカロテノイドが使用される、請求項１〜４のいずれか一項に記載の方法。
【請求項６】
前記押出物の総重量を基準にして、５重量％〜８０重量％の少なくとも１種の乳化保護コロイドが使用される、請求項１〜５のいずれか一項に記載の方法。
【請求項７】
前記押出物の総重量を基準にして、１重量％〜９０重量％の水が使用される、請求項１〜６のいずれか一項に記載の方法。
【請求項８】
前記押出物の総重量を基準にして、０．１重量％〜５０重量％の少なくとも１種の助剤が使用される、請求項１〜７のいずれか一項に記載の方法。
【請求項９】
前記乳化保護コロイドが最初に添加され、次に前記水およびその後前記カロテノイドが添加される、請求項１〜８のいずれか一項に記載の方法。
【請求項１０】
前記カロテノイドがβ−カロテンであり、前記β−カロテンが前記方法の開始時に、液体または溶融形態で添加される、請求項１〜９のいずれか一項に記載の方法。
【請求項１１】
前記押出機の内部の温度が、２０℃〜２２０℃である、請求項１〜１０のいずれか一項に記載の方法。
【請求項１２】
少なくとも１種のカロテノイド、および
少なくとも１種の乳化保護コロイド、および
水、および任意選択的に
少なくとも１種の助剤
を含んでなる分散小滴を含んでなる、押出物。
【請求項１３】
前記分散小滴の平均粒度が１０００ｎｍ未満である、請求項１２に記載の押出物。
【請求項１４】
前記押出物の総重量を基準にして０．５重量％〜５０重量％の少なくとも１種のカロテノイド、および
前記押出物の総重量を基準にして５重量％〜８０重量％の少なくとも１種の乳化保護コロイド、および
前記押出物の総重量を基準にして１重量％〜９０重量％の水、および任意選択的に
前記押出物の総重量を基準にして０．１重量％〜５０重量％の少なくとも１種の助剤を含んでなる、請求項１２または１３に記載の押出物。
【請求項１５】
前記押出物の総重量を基準にして少なくとも１つの、前記押出物の総重量を基準にして１重量％〜３０重量％のα−カロテン、β−カロテン、８’−アポ−β−カロテナール、カンタキサンチン、アスタキサンチン、リコペン、ルテイン、ゼアキサンチン、クロセチンおよび８’−アポ−β−カロテン酸エステルからなる群から選択される少なくとも１つのカロテノイドを含んでなる、請求項１２〜１４のいずれか一項に記載の押出物。
【請求項１６】
前記押出物の総重量を基準にして１５重量％〜８０重量％の、改質デンプン、パルミチン酸アスコルビル、ペクチン、アルギン酸塩、カラゲナン、ファーセレラン、デキストリン誘導体、セルロースおよびセルロース誘導体、リグノスルホネート、多糖類ガム、ゼラチン、植物タンパク質、動物タンパク質、レシチン、脂肪酸のポリグリセロールエステル、脂肪酸のモノグリセリド、脂肪酸のジグリセリド、ソルビタンエステル、ＰＧエステル、および糖エステルからなる群から選択される、少なくとも１種の乳化保護コロイドを含んでなる、請求項１２〜１５のいずれか一項に記載の押出物。
【請求項１７】
前記押出物の総重量を基準にして１重量％〜８０重量％の水を含んでなる、請求項１２〜１６のいずれか一項に記載の押出物。
【請求項１８】
食品、飼料またはパーソナルケア製品における、請求項１〜１１のいずれか一項から得られる押出物、および／または請求項１２〜１７のいずれか一項に記載の押出物の使用。
【請求項１９】
請求項１〜１１のいずれか一項から得られる少なくとも１つの押出物、および／または請求項１２〜１７のいずれか一項に記載の押出物を含んでなる、食品、飼料またはパーソナルケア製品。
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
生体適合材料からなる容器と、表面に固定化された生物学的に活性なアポトーシス誘導リガンドとを含み、細胞選択に適した装置。
【請求項２】
前記表面が前記容器の内表面、または前記表面が前記容器内に存在するビーズの表面である、請求項１に記載の装置。
【請求項３】
前記生体適合材料が、ポリプロピレン、ポリスチレン、シリコーン、ポリ塩化ビニルまたはその組合せを含む群から選択される、請求項１に記載の装置。
【請求項４】
前記固定化されたアポトーシス誘導リガンドが、腫瘍壊死因子α（ＴＮＦ−α）、Ｆａｓリガンド（ＦａｓＬ）、Ｔｒａｉｌ、Ｔｗｅａｋまたはその任意の組合せを含む群から選択される、請求項１に記載の装置。
【請求項５】
細胞集団からアポトーシスシグナル伝達抵抗性細胞を選択するｉｎ  ｖｉｔｒｏの方法であって、前記細胞集団がアポトーシスシグナル伝達抵抗性細胞とアポトーシスシグナル伝達感受性細胞とを含み、
（ａ）細胞集団を含む試料を請求項１に記載の装置内に導入する段階と、
（ｂ）前記装置内で前記細胞をインキュベートする段階と
からなることによって、
細胞集団からアポトーシスシグナル伝達抵抗性細胞を選択する
方法。
【請求項６】
前記アポトーシスシグナル伝達抵抗性細胞が、幹細胞、活性化誘導細胞死（ＡＩＣＤ）に非感受性の免疫細胞、前駆細胞またはその任意の組合せを含む、請求項５に記載の方法。
【請求項７】
（ａ）請求項１に記載の細胞選択装置と、
（ｂ）前記装置内のアポトーシス誘導リガンドの完全性および活性を維持する溶液と
を含む、細胞選択キット。
【請求項８】
追加のアポトーシス誘導リガンドをさらに含む、請求項７に記載のキット。
【請求項９】
前記容器内の前記アポトーシス誘導リガンドが、腫瘍壊死因子α（ＴＮＦ−α）、Ｆａｓリガンド（ＦａｓＬ）、Ｔｒａｉｌ、Ｔｗｅａｋまたはその任意の組合せである、請求項８に記載のキット。
【請求項１０】
造血幹／前駆細胞（ＨＳＰＣ）移植の臨床転帰を改善するｉｎ  ｖｉｔｒｏの方法であって、
（ａ）幹／前駆細胞を含む細胞集団を含む試料を準備する段階と、
（ｂ）前記細胞集団とＦａｓリガンド（ＦａｓＬ）とを１〜２４時間接触させる段階と、または前記細胞集団と腫瘍壊死因子α（ＴＮＦ−α）とを２４〜４８時間接触させる段階と、
（ｃ）段階（ｂ）の細胞を回収する段階と、
（ｄ）段階（ｃ）の細胞を移植する段階と
を含むことによって、
造血幹／前駆細胞（ＨＳＰＣ）移植の臨床転帰を改善する
方法。
【請求項１１】
請求項１に記載の装置を用いて段階（ｂ）を実施する、請求項１０に記載の方法。
【請求項１２】
前駆細胞移植片を含む組成物中の悪性細胞を排除するｉｎ  ｖｉｔｒｏの方法であって、
（ａ）前駆細胞移植片を含む組成物を準備する段階と、
（ｂ）前記組成物とアポトーシス誘導リガンドとを約２４時間接触させる段階と
を含むことによって、
前駆細胞移植片を含む組成物中の悪性細胞を排除する
方法。
【請求項１３】
請求項１に記載の装置を用いて段階（ｂ）を実施する、請求項１２に記載の方法。
【請求項１４】
移植片対腫瘍（ＧｖＴ）活性を保持しながら移植片対宿主病（ＧｖＨＤ）を予防するｉｎ  ｖｉｔｒｏの方法であって、
（ａ）ＨＳＰＣと免疫細胞とを含む細胞集団を含む試料を準備する段階と、
（ｂ）前記細胞集団とアポトーシス誘導リガンドとを２〜１６時間接触させる段階と、
（ｃ）段階（ｂ）の細胞を回収する段階と、
（ｄ）段階（ｃ）の細胞を移植する段階と
を含むことによって、
移植片対腫瘍（ＧｖＴ）活性を保持しながら移植片対宿主病（ＧｖＨＤ）を予防する
方法。
【請求項１５】
請求項１に記載の装置を用いて段階（ｂ）を実施する、請求項１４に記載の方法。
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
無線通信システムにおける通信方法であって、
ユーザ端末（ＵＥ）により、複数のチャンネル状態情報(ＣＳＩ)プロセスのための構成情報を受信するステップと、
前記ＵＥにより、ＣＳＩ報告に対する指示子を含むダウンリンク制御情報（ＤＣＩ）を受信するステップと、
前記ＵＥにより、前記指示子と前記構成情報に基づいてＣＳＩを生成するステップと、
前記ＵＥにより、物理的アップリンク共有チャンネル（ＰＵＳＣＨ）で前記生成されたＣＳＩを送信するステップと、を含み、
前記指示子は、前記複数のＣＳＩプロセスのうちいずれか一つを指示することを特徴とする方法。
【請求項２】
前記複数のＣＳＩプロセスは、第１のＣＳＩプロセスセットと第２のＣＳＩプロセスセットを含み、前記第１のＣＳＩプロセスセットと前記第２のプロセスセットは、各々の基準信号に対する測定に関連することを特徴とする請求項１に記載の方法。
【請求項３】
前記指示子により前記構成情報に基づいて検出された前記複数のＣＳＩプロセスのうち一つのＣＳＩプロセスを選択するステップと、
前記ＵＥにより、前記選択されたＣＳＩプロセスに基づいてＣＳＩを生成するステップと、
をさらに有することを特徴とする請求項１に記載の方法。
【請求項４】
前記第１のＣＳＩプロセスセットと前記第２のＣＳＩプロセスセットは、上位階層シグナリングにより構成されることを特徴とする請求項３に記載の方法。
【請求項５】
前記指示子は2ビットで構成されることを特徴とする請求項４に記載の方法。
【請求項６】
前記指示子は、
非周期的ＣＳＩ報告がないことを示す‘００’、ダウンリンク（ＤＬ）セルに対応するＣＳＩプロセスセットに対する非周期的ＣＳＩ報告を示す‘０１’、前記第１のＣＳＩプロセスセットに対する非周期的ＣＳＩ報告を示す‘１０’、及び前記第２のＣＳＩプロセスセットに対する非周期的ＣＳＩ報告を示す‘１１’のうちいずれか一つを含むことを特徴とする請求項４に記載の方法。
【請求項７】
複数のチャンネル状態情報（ＣＳＩ）プロセスのための構成情報を受信し、ＣＳＩ報告に対する指示子を含むダウンリンク制御情報（ＤＣＩ）を受信する受信器と、
前記指示子と前記構成情報に基づいてＣＳＩを生成し、物理的アップリンク共有チャンネル（ＰＵＳＣＨ）で前記生成されたＣＳＩを送信する送信器と、を含み、
前記指示子は、前記複数のＣＳＩプロセスのうちいずれか一つを指示することを特徴とするユーザ端末（ＵＥ）装置。
【請求項８】
前記複数のＣＳＩプロセスは、第１のＣＳＩプロセスセットと第２のＣＳＩプロセスセットを含み、前記第１のＣＳＩプロセスセットと前記第２のプロセスセットは、各々の基準信号に対する測定に関連することを特徴とする請求項７に記載のＵＥ装置。
【請求項９】
前記送信器は、前記指示子により前記構成情報に基づいて前記複数のＣＳＩプロセスのうちいずれか一つのＣＳＩプロセスを選択し、前記選択したＣＳＩプロセスに基づいてＣＳＩを生成することを特徴とする請求項８に記載のＵＥ装置。
【請求項１０】
前記第１のＣＳＩプロセスセットと前記第２のＣＳＩプロセスセットは、上位階層シグナリングにより構成されることを特徴とする請求項９に記載のＵＥ装置。
【請求項１１】
前記指示子は2ビットで構成されることを特徴とする請求項１０に記載のＵＥ装置。
【請求項１２】
前記指示子は、
非周期的ＣＳＩ報告がないことを示す‘００’、ダウンリンク（ＤＬ）セルに対応するＣＳＩプロセスセットに対する非周期的ＣＳＩ報告を示す‘０１’、前記第１のＣＳＩプロセスセットに対する非周期的ＣＳＩ報告を示す‘１０’、及び前記第２のＣＳＩプロセスセットに対する非周期的ＣＳＩ報告を示す‘１１’のうちいずれか一つを含むことを特徴とする請求項１１に記載のＵＥ装置。
【請求項１３】
通信システムにおいて、ユーザ端末（UE）により、非周期的チャンネル状態情報（ＣＳＩ）を報告する方法であって、
ＣＳＩ要求フィールドを含むダウンリンク制御情報（DCI）を受信するステップと、
複数のＣＳＩプロセスのうち選択された一つのＣＳＩプロセスを前記ＣＳＩ要求フィールドの値によりトリガーリングするステップと、
前記トリガーされたＣＳＩプロセスに対応する送信モードに基づいて非周期的ＣＳＩを送信するステップと、
を有することを特徴とする方法。
【請求項１４】
前記複数のＣＳＩプロセスは、第１のＣＳＩプロセスセットと第２のＣＳＩプロセスセットを含み、前記第１のＣＳＩプロセスセットと前記第２のＣＳＩプロセスセットは、上位階層シグナリングにより構成され、各々の基準信号に対する測定に関連することを特徴とする請求項１３に記載の方法。
【請求項１５】
前記ＣＳＩ要求フィールドは2ビットで構成されることを特徴とする請求項１４に記載の方法。
【請求項１６】
前記ＣＳＩ要求フィールドは、
非周期的ＣＳＩ報告がないことを示す‘００’、ダウンリンク（ＤＬ）セルに対応するＣＳＩプロセスセットに対する非周期的ＣＳＩ報告を示す‘０１’、前記第１のＣＳＩプロセスセットに対する非周期的ＣＳＩ報告を示す‘１０’、及び前記第２のＣＳＩプロセスセットに対する非周期的ＣＳＩ報告を示す‘１１’のうちいずれか一つを含むことを特徴とする請求項１５に記載の方法。
【請求項１７】
非周期的チャンネル状態情報（ＣＳＩ）を報告するユーザ端末（ＵＥ）装置であって、
ＣＳＩ要求フィールドを含むダウンリンク制御情報（DCI）を受信する受信部と、
複数のＣＳＩプロセスのうち選択された一つのＣＳＩプロセスを前記ＣＳＩ要求フィールドの値によりトリガーリングするトリガーと、
前記トリガーされたＣＳＩプロセスに対応する送信モードに基づいて非周期的ＣＳＩを送信する送信部と、
を含むことを特徴とするＵＥ装置。
【請求項１８】
前記複数のＣＳＩプロセスは、第１のＣＳＩプロセスセットと第２のＣＳＩプロセスセットを含み、前記第１のＣＳＩプロセスセットと前記第２のＣＳＩプロセスセットは、上位階層シグナリングにより構成され、各々の基準信号に対する測定に関連することを特徴とする請求項１７に記載のＵＥ装置。
【請求項１９】
前記ＣＳＩ要求フィールドは2ビットで構成されることを特徴とする請求項１８に記載のＵＥ装置。
【請求項２０】
前記ＣＳＩ要求フィールドは、
非周期的ＣＳＩ報告がないことを示す‘００’、ダウンリンク（ＤＬ）セルに対応するＣＳＩプロセスセットに対する非周期的ＣＳＩ報告を示す‘０１’、前記第１のＣＳＩプロセスセットに対する非周期的ＣＳＩ報告を示す‘１０’、及び前記第２のＣＳＩプロセスセットに対する非周期的ＣＳＩ報告を示す‘１１’のうちいずれか一つを含むことを特徴とする請求項１８に記載のＵＥ装置。
【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
睡眠の質のグラフィカル表現を提供する方法であって、
患者のＥＣＧデータを取得するステップと、
前記ＥＣＧデータを処理して、複数の正常心拍を識別し、識別された前記正常心拍に基づいて複数のＮ−Ｎ間隔を抽出することにより、前記ＥＣＧデータから前記複数のＮ−Ｎ間隔を取得するステップと、
前記複数のＮ−Ｎ間隔に基づいて複数のスペクトル密度を計算するステップであって、各スペクトル密度は複数の連続タイムウィンドウのうちの１つに関連付けられ、前記複数の連続タイムウィンドウのうちの前記１つに関連付けられる前記Ｎ−Ｎ間隔のうちのいくつかに基づいて計算される、ステップと、
前記複数のスペクトル密度を使用して前記睡眠の質のグラフィカル表現を生成するステップと
を含む、方法。
【請求項２】
患者のＥＣＧデータを取得する前記ステップは、（ｉ）患者から心臓信号を収集し、前記心臓信号に基づいて前記ＥＣＧデータを生成するステップ、又は（ｉｉ）複数のＮ−Ｎ間隔を取得する前記ステップ、前記複数のスペクトル密度を計算する前記ステップ、及び前記グラフィカル表現を生成する前記ステップを実行するモジュールにおいて前記ＥＣＧデータを受信するステップ、のうちの少なくとも１つを含む、請求項１に記載の方法。
【請求項３】
前記グラフィカル表現は、時間軸及び周波数軸を有するグラフである、請求項１に記載の方法。
【請求項４】
前記複数のタイムウィンドウは、それぞれ、そのタイムウィンドウの中心を表す中心値に関連付けられ、よって、各スペクトル密度は前記中心値のうちの１つに関連付けられ、各スペクトル密度は、前記グラフィカル表現内の、当該スペクトル密度に関連付けられる前記中心値に対応する前記時間軸沿いの時点に配置される画像を前記グラフィカル表現内に作成するために使用される、請求項３に記載の方法。
【請求項５】
前記グラフィカル表現内の各画像は、前記スペクトル密度の周波数範囲に等しい前記周波数軸に沿う長さを有する、請求項４に記載の方法。
【請求項６】
前記複数のスペクトル密度は第１の周波数範囲をカバーし、前記グラフィカル表現は前記第１の周波数範囲の全体をカバーする、請求項３に記載の方法。
【請求項７】
前記複数のスペクトル密度は第１の技術を用いて計算され、前記方法は更に、（ｉ）前記複数のＮ−Ｎ間隔に基づいて複数の第２のスペクトル密度を、前記複数の第２のスペクトル密度が前記第１の周波数範囲の低領域のみを含む第２の周波数範囲をカバーするよう、計算するステップであって、前記第２のスペクトル密度はそれぞれ複数の連続タイムウィンドウのうちの１つに関連付けられ、前記第１の技術とは異なる第２の技術を用いて、前記複数の連続タイムウィンドウのうちの前記１つに関連付けられる前記Ｎ−Ｎ間隔のうちのいくつかに基づいて計算される、ステップと、（ｉｉ）前記第２の周波数範囲のみをカバーする前記複数の第２のスペクトル密度を用いて睡眠の質の第２のグラフィカル表現を生成するステップとを含む、請求項６に記載の方法。
【請求項８】
１つ以上の実行可能なルーチンを有する処理ユニットを含む睡眠の質測定装置であって、
患者から収集される心臓信号から生成されるＥＣＧデータから、前記ＥＣＧデータを処理して、複数の正常心拍を識別し、識別された前記正常心拍に基づいて複数のＮ−Ｎ間隔を抽出することにより、前記複数のＮ−Ｎ間隔を取得し、
前記複数のＮ−Ｎ間隔に基づいて複数のスペクトル密度を計算し、ここで、各スペクトル密度は複数の連続タイムウィンドウのうちの１つに関連付けられ、前記複数の連続タイムウィンドウのうちの前記１つに関連付けられる前記Ｎ−Ｎ間隔のうちのいくつかに基づいて計算され、
前記複数のスペクトル密度を用いて睡眠の質のグラフィカル表現を生成する、睡眠の質測定装置。
【請求項９】
患者から前記心臓信号を収集するための手段を更に含む、請求項８に記載の睡眠の質測定装置。
【請求項１０】
前記連続タイムウィンドウは、ｘタイムウィンドウスライディングｙによって定められるスライディングタイムウィンドウであり、これは、各タイムウィンドウの長さがｘユニットであり、各連続タイムウィンドウが、直前のタイムウィンドウの開始からｙユニット間を空けられることを意味する、請求項８に記載の睡眠の質測定装置。
【請求項１１】
前記グラフィカル表現は、時間軸及び周波数軸を有するグラフである、請求項８に記載の睡眠の質測定装置。
【請求項１２】
前記複数のタイムウィンドウは、それぞれ、そのタイムウィンドウの中心を表す中心値に関連付けられ、よって、各スペクトル密度は前記中心値のうちの１つに関連付けられ、各スペクトル密度は、前記グラフィカル表現内の、当該スペクトル密度に関連付けられる前記中心値に対応する前記時間軸沿いの時点に配置される画像を前記グラフィカル表現内に作成するために使用される、請求項１１に記載の睡眠の質測定装置。 
【請求項１３】
前記グラフィカル表現内の各画像は、前記スペクトル密度の周波数範囲に等しい前記周波数軸に沿う長さを有する、請求項１２に記載の睡眠の質測定装置。
【請求項１４】
前記複数のスペクトル密度は第１の周波数範囲をカバーし、前記グラフィカル表現は前記第１の周波数範囲の全体をカバーする、請求項１１に記載の睡眠の質測定装置。
【請求項１５】
前記複数のスペクトル密度は第１の技術を用いて計算され、前記方法は更に、（ｉ）前記複数のＮ−Ｎ間隔に基づいて複数の第２のスペクトル密度を、前記複数の第２のスペクトル密度が前記第１の周波数範囲の低領域のみを含む第２の周波数範囲をカバーするよう、計算するステップであって、前記第２のスペクトル密度はそれぞれ複数の連続タイムウィンドウのうちの１つに関連付けられ、前記第１の技術とは異なる第２の技術を用いて、前記複数の連続タイムウィンドウのうちの前記１つに関連付けられる前記Ｎ−Ｎ間隔のうちのいくつかに基づいて計算される、ステップと、（ｉｉ）前記第２の周波数範囲のみをカバーする前記複数の第２のスペクトル密度を用いて睡眠の質の第２のグラフィカル表現を生成するステップとを含む、請求項１４に記載の睡眠の質測定装置。
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
皮膚係合部及び切断要素を有するシェーバであって、前記皮膚係合部は、ユーザの皮膚に対して引力を生成するように構成された力生成部材を有し、前記シェーバは更に、使用の間に前記力を選択的に調節することができる制御要素を有し、
前記制御要素は、前記皮膚に関連するパラメータを測定するためのセンサと、前記パラメータの測定された特性に応じて前記引力を選択的に適応させるためのコントローラと、を有する、シェーバ。
【請求項２】
前記力生成部材は電気付着要素を有する、請求項１に記載のシェーバ。
【請求項３】
前記電気付着要素は、交流電圧源に接続された電荷保持電極であって、前記電極と皮膚との間の接触を防止するための絶縁層により被覆された電荷保持電極を有する、請求項２に記載のシェーバ。
【請求項４】
前記電気付着要素は、隣接する第１の電極及び第２の電極であって、前記電極と皮膚との間の接触を防止するための絶縁層により被覆され、前記第１の電極及び前記第２の電極が互いと反対に充電されるように直流電流源に接続された、第１の電極及び第２の電極を有する、請求項２に記載のシェーバ。
【請求項５】
前記パラメータは、皮膚に対する前記皮膚係合部の動きの方向を示すものである、請求項１乃至４のいずれか一項に記載のシェーバ。
【請求項６】
前記パラメータは、前記切断要素に先行する皮膚のドーミングの度合いを示すものである、請求項１乃至４のいずれか一項に記載のシェーバ。
【請求項７】
前記コントローラは、所定の値を超えたドーミングの度合いの検出に応じて、前記引力を増大させるように構成された、請求項６に記載のシェーバ。
【請求項８】
前記皮膚係合部は、複数の力生成部材を有し、各前記力生成部材の引力は、他の前記力生成部材とは独立して選択的に適応させられることができる、請求項１乃至７のいずれか一項に記載のシェーバ。
【請求項９】
前記コントローラは、皮膚における前記シェーバの測定された動きの方向において前記切断要素の前方にある前記力生成部材の引力を選択的に調節するように構成された、請求項５乃至８のいずれか一項に記載のシェーバ。
【請求項１０】
前記切断要素は、シェービングの間に毛の切断を実行するよう前記皮膚係合部に対して動くことができる、請求項１乃至９のいずれか一項に記載のシェーバ。
【請求項１１】
前記シェーバは複数の切断要素を有し、前記切断要素のそれぞれが、回転カッタを持つ回転式シェービングヘッドを有する、請求項１０に記載のシェーバ。
【請求項１２】
前記皮膚係合部は、複数の切断要素が配置されたフェイスプレートを有し、前記複数の切断要素のそれぞれが、回転カッタを持つ回転式シェービングヘッドを有し、前記フェイスプレートの周囲に分散された複数の力生成部材が備えられ、前記コントローラは、前記センサにより測定された動きの方向に応じて、前記測定された動きの方向に対して前記回転式シェービングヘッドの前方にある前記力生成部材の引力を選択的に増大させるように動作可能である、請求項５に記載のシェーバ。
【請求項１３】
前記シェーバは、保護部に装着された１つ以上の細長い刃を持つ湿式シェーバである、請求項１乃至９のいずれか一項に記載のシェーバ。
【請求項１４】
シェーバの動作を制御する方法であって、
ユーザの皮膚において動きの方向に前記シェーバの皮膚係合部を動かすステップであって、前記皮膚係合部は皮膚に係合し、切断要素が切断されるべき毛に係合するステップと、
前記切断要素に先行する皮膚の伸張の度合いを調節するため、前記動きの間、皮膚と前記皮膚係合部の少なくとも一部との間の引力を調節するステップと、
前記皮膚に関連するパラメータを測定するステップと、
前記パラメータの測定された特性に応じて前記引力を選択的に適応させるステップと、
を有する方法。
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
外面にう蝕領域を有する歯を治療するシステムであって、
流体を保持するようなサイズおよび形状であるチャンバを有する流体プラットフォームであって、前記チャンバが前記歯の前記外面における前記う蝕領域の周囲に密封空間を画定するように、前記チャンバが、前記う蝕領域にわたって前記歯の外面に結合されかつ前記外面に対して少なくとも部分的に封止するように構成されている、流体プラットフォームと、
前記チャンバ内に配置されるように構成された先端を有し、かつ前記保持流体内に前記う蝕領域を洗浄するのに十分な圧力波を発生させるように構成された圧力波発生器であって、前記先端が前記う蝕領域の近くの前記歯の外側に配置される圧力波発生器と、
を具備し、
前記圧力波発生器が、広帯域音響出力スペクトル及び複数の周波数を有する圧力波を生成するように構成されているシステム。
【請求項２】
前記圧力波発生器が、前記保持流体内に、前記チャンバに実質的に流体が充填されたときに前記う蝕領域を洗浄するのに十分な圧力波を発生させるように構成されている、請求項１に記載のシステム。
【請求項３】
前記流体プラットフォームが、前記チャンバを備えるキャップと、前記キャップを前記歯に封止するように構成されたシールとを備える、請求項１に記載のシステム。
【請求項４】
前記キャップが、少なくとも２つの隣接する歯に結合されるように構成されている、請求項３に記載のシステム。
【請求項５】
前記圧力波発生器が、液体ジェット装置、レーザ、機械的ロータ、超音波ホーンまたは圧電発振器を含む、請求項１に記載のシステム。
【請求項６】
前記圧力波発生器が前記液体ジェット装置を含む、請求項５に記載のシステム。
【請求項７】
前記流体プラットフォームが、前記チャンバから廃棄流体を除去するように構成された出口を備える、請求項１に記載のシステム。
【請求項８】
前記流体プラットフォームが、流体を前記チャンバに送達するように構成された入口を備える、請求項１に記載のシステム。
【請求項９】
前記流体プラットフォームが、前記チャンバ内に保持される前記流体の圧力を少なくとも部分的に調整するように構成された通気孔を備える、請求項１に記載のシステム。
【請求項１０】
前記複数の周波数が、少なくとも１つの連続した周波数範囲を含む、請求項１に記載のシステム。
【請求項１１】
前記圧力波発生器が、少なくとも１Ｈｚから１００ｋＨｚの範囲の周波数を有する圧力波を生成するように構成されている、請求項１に記載のシステム。
【請求項１２】
先端を有し前記圧力波発生器を支持するハンドピースをさらに具備する、請求項１に記載のシステム。
【請求項１３】
前記圧力波発生器の少なくとも一部が、前記ハンドピースの前記先端に配置されている、請求項１に記載のシステム。
【請求項１４】
前記ハンドピースの前記先端に結合されるように構成された前記流体プラットフォーム、請求項１に記載のシステム。
【請求項１５】
前記流体プラットフォームが前記ハンドピースに取り付けられている、請求項１に記載のシステム。
【請求項１６】
歯の外面におけるう蝕領域を洗浄するシステムであって、前記う蝕領域が、少なくとも部分的に２つの隣接する歯の間に配置されており、前記システムが、
前記空間内に少なくとも部分的に流体を保持するように構成された流体保持器であって、前記歯の前記外面における前記う蝕領域の周囲に密封空間を画定するチャンバを有する流体保持器と、
前記歯の間の前記空間内の前記保持流体内に圧力波を伝播させて前記う蝕領域を洗浄するように構成された圧力波発生器であって、前記チャンバ内に配置されるように構成された先端を有し、かつ前記保持流体内に前記う蝕領域を洗浄するのに十分な圧力波を発生させるように構成され、前記先端が前記う蝕領域の近くの前記歯の外側に配置される圧力波発生器と、
を具備し、
前記圧力波発生器が、広帯域音響出力スペクトル及び複数の周波数を有する圧力波を生成するように構成されているシステム。
【請求項１７】
前記圧力波発生器が、前記空間の外側に配置されるように構成されている、請求項１６に記載のシステム。
【請求項１８】
前記圧力波発生器が、前記空間の外側に前記圧力波を発生させるように構成されている、請求項１７に記載のシステム。
【請求項１９】
前記う蝕領域が、完全に前記２つの歯の間に配置されている、請求項１６に記載のシステム。
【請求項２０】
前記保持流体が脱気液を含む、請求項１６に記載のシステム。
【請求項２１】
前記圧力波発生器が、少なくとも１Ｈｚから１００ｋＨｚの周波数を有する圧力波を生
成するように構成されている、請求項１６に記載のシステム。
【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
トランスデューサアセンブリであって、
支持端子、及び
前記支持端子に取り付けられるとともに該支持端子から延びる少なくとも１つのプローブ
を備えており、
前記少なくとも１つのプローブは、乾式電極を支持する少なくとも１つの脚部構造を含み、乾式電極は、該乾式電極が前記脚部構造によって選択される対象エリアに適用されると、該選択される対象エリアの特定の性質の状態を感知又は刺激するように前記脚部構造の遠位端に配置され、
前記少なくとも１つの脚部構造は、当該トランスデューサアセンブリが前記選択される対象エリアに適用されると、該対象エリアに対して垂直ではない角度で配置されるように、前記支持端子に対して配置され、
前記少なくとも１つのプローブは、可撓性であるとともに屈曲可能なプラスチック材料を含んでいる、トランスデューサアセンブリ。
【請求項２】
前記少なくとも１つの脚部構造は、前記乾式電極が圧力下で前記選択される対象エリアに適用されると撓み、それによって前記乾式電極を前記対象エリア上で摺動させるようになっている、請求項１に記載のトランスデューサアセンブリ。
【請求項３】
複数の前記プローブは前記支持端子から延びるように取り付けられている、請求項１又は２に記載のトランスデューサアセンブリ。
【請求項４】
個々の前記プローブは複数の前記脚部構造を含んでいる、請求項３に記載のトランスデューサアセンブリ。
【請求項５】
個々の前記プローブは上側脚部構造及び下側脚部構造を含んでおり、
個々の前記脚部構造は、乾式電極を支持する足部及び可撓性ジョイントを含んでおり、それによって、それぞれの前記乾式電極が対象エリアと接触して圧力が前記支持端子に印加されると、前記上側脚部構造及び前記下側脚部構造はそれらのそれぞれのジョイントにおいて撓み、前記足部によって支持される乾式電極を前記対象エリア上で摺動させる、請求項４に記載のトランスデューサアセンブリ。
【請求項６】
個々の前記プローブは上側脚部構造及び下側脚部構造を含んでおり、
１つの前記プローブの前記下側脚部構造は、隣接する前記プローブの前記上側脚部構造の下で交差するように配置され、前記脚部構造がそれぞれ撓むときの当該トランスデューサアセンブリの径方向の拡張を最小限に抑える、請求項４に記載のトランスデューサアセンブリ。
【請求項７】
個々の前記プローブは上側脚部構造及び下側脚部構造を含んでおり、
個々の前記脚部構造は、乾式電極を支持する足部及び可撓性ジョイントを含んでおり、それによって、前記乾式電極がそれぞれ対象エリアと接触して圧力が前記支持端子に印加されると、前記上側脚部構造及び前記下側脚部構造はそれらのそれぞれのジョイントにおいて撓み、前記足部によって支持される乾式電極を前記対象エリア上で摺動させる、請求項３に記載のトランスデューサアセンブリ。
【請求項８】
個々の前記プローブは、前記支持端子に対して垂直ではない方向に該支持端子から外方に延びるループ形状の脚部構造を含んでいる、請求項３に記載のトランスデューサアセンブリ。
【請求項９】
個々の前記プローブは上側脚部構造及び下側脚部構造を含んでおり、
個々の前記脚部構造は、乾式電極を支持する足部及び可撓性ジョイントを含んでおり、それによって、それぞれの前記乾式電極が対象エリアと接触して圧力が前記支持端子に印加されると、前記上側脚部構造及び前記下側脚部構造はそれらのそれぞれのジョイントにおいて撓み、前記足部によって支持される乾式電極を前記対象エリア上で摺動させる、請求項１又は２に記載のトランスデューサアセンブリ。
【手続補正２】
【補正対象書類名】明細書
【補正対象項目名】発明の名称
【補正方法】変更
【補正の内容】
【発明の名称】トランスデューサアセンブリ
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
眼内レンズを目の中に配置する装置であって、
眼内レンズが中に配置された眼内レンズ送達デバイスと、
前記送達デバイス内に配置されるように適合された支持デバイスであって、流体が中を通って流れることができるように適合された管腔を中に有する、支持デバイスと、
前記送達デバイスに配置された眼内レンズ、および送達デバイスの内面の間の間隙を少なくとも部分的にふさぐよう適合されるように、前記支持デバイスに固定されたプラグ要素と、
を備える装置。
【請求項２】
前記プラグ要素がチューブ状要素である、請求項１に記載の装置。
【請求項３】
前記プラグ要素が展開後に遠位端部において開口する、請求項２に記載の装置。
【請求項４】
前記プラグ要素が前記プラグ要素の遠位端部に対して近位の流体の流れ制限部を有する、請求項２に記載の装置。
【請求項５】
前記プラグ要素が遠位端部において裏返される、請求項１に記載の装置。
【請求項６】
前記プラグ要素が多孔質である、請求項１に記載の装置。
【請求項７】
前記プラグ要素が前記管腔を通る流体の流れに応じて再構成されるように適合されている、請求項１に記載の装置。
【請求項８】
前記プラグ要素の遠位部分のみが再構成されるよう適合されている、請求項１に記載の装置。
【請求項９】
前記プラグ要素が、前記プラグ要素の遠位端部に対して近位に流れ制限部を有する、請求項１に記載の装置。
【請求項１０】
前記プラグ要素が前記流れ制限部対して遠位の、再構成されるように適合された部分を有する、請求項９に記載の装置。
【請求項１１】
前記プラグ要素が遠位端部において開口する、請求項１に記載の装置。
【請求項１２】
前記プラグ要素がｅＰＴＥＦチューブである、請求項１に記載の装置。
【請求項１３】
支持要素の遠位部分が前記送達デバイスの内壁に向かって配向される、請求項１に記載の装置。
【請求項１４】
支持要素の遠位部分が前記支持要素の近位部分の長手軸から離れて配向される、請求項１に記載の装置。
【請求項１５】
後方触覚部が前記眼内レンズの光学部分に対して近位に延在する、請求項１に記載の装置。
【請求項１６】
前記プラグ要素が前記眼内レンズおよび前記送達デバイスの内面の間の半径方向に配置される、請求項１５に記載の装置。
【請求項１７】
前記装置の内部から空気を排出するように適合された開孔をさらに備える、請求項１に記載の装置。
【請求項１８】
眼内レンズを目の中に配置する装置であって、
眼内レンズが中に配置された眼内レンズ送達デバイスと、
前記送達デバイス内に配置されるよう適合された支持デバイスであって、流体が中を通って流れることができるように適合された管腔を中に有する、支持デバイスと、
眼内レンズ送達ポートではない開孔であって、流体が中を流れる場合に前記送達デバイスの内部から空気を排出するよう適合された、開孔と、
を備える装置。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
印刷プロセスであって、
インク画像を形成するためにインクの液滴を中間転写部材上に向けるステップであって、前記インクが、有機ポリマー樹脂および着色剤を水性キャリア中に含み、前記転写部材が、疎水性の外面を有し、前記インク画像における各インク液滴が、衝突時に前記中間転写部材上で広がって、インクフィルムを形成する、ステップと、
前記インク画像が前記中間転写部材により運ばれる間に、樹脂および着色剤の残留フィルムを残すように、前記水性キャリアを前記インク画像から蒸発させることによって、前記インクを乾燥するステップと、
前記残留フィルムを基材に転写するステップであって、前記インクおよび前記中間転写部材の表面の化学組成が、各液滴の外皮中の分子と前記中間転写部材の表面上の分子との間の分子間引力が、前記中間転写部材の表面を濡らすことによって各液滴を広がらせることなく、前記水性キャリアの表面張力の作用下において、各液滴により生成されたインクフィルムの球形になる傾向を打ち消すように選択される、ステップと、
を備える、印刷プロセス。
【請求項２】
前記中間転写部材の外面の化学組成が、正電荷を提供する分子を含む、請求項１に記載の印刷プロセス。
【請求項３】
前記中間転写部材の外面が、１つ以上のブレンステッド塩基官能基を有する分子を含む、請求項２に記載の印刷プロセス。
【請求項４】
前記インクが、ブレンステッド酸官能基を含む１つ以上の負に帯電したかまたは負帯電性の基を有する分子を備える、請求項１〜３のいずれか１項に記載の印刷プロセス。
【請求項５】
前記中間転写部材の負に帯電したかまたは負帯電性の表面に処理溶液を塗布してその極性を正に反転するステップを備える、請求項１に記載の印刷プロセス。
【請求項６】
前記中間転写部材の負に帯電したかまたは負帯電性の表面が、シラノール、シリルまたはシラン修飾または終端処理されたポリジアルキルシロキサン硬化性シリコーンポリマー、ハイブリッド、および／またはそれらの混合物から選択される分子を備える、請求項５に記載の印刷プロセス。
【請求項７】
前記処理溶液が、線状、分岐および環式、第一級アミン、第二級アミン、第三級アミンおよび四級化アンモニウム基から選択されるアミン窒素原子を含有するポリマーからなる調整剤を備え、前記ポリマーが、高電荷密度および少なくとも１０，０００ｇ／モルの分子量を有する、請求項５に記載の印刷プロセス。
【請求項８】
前記処理溶液が、コーティングローラ、流体源、霧雨、エアナイフ、およびそれらの組み合わせから選択される手段によって前記中間転写部材の表面に塗布される、請求項５に記載の印刷プロセス。
【請求項９】
前記処理溶液が、前記インク画像の形成の前に、溶媒を蒸発させるために加熱され、それにより、前記インク液滴が乾燥した表面上に向けられる、請求項５に記載の印刷プロセス。
【請求項１０】
前記中間転写部材が、可撓性のエンドレスブランケットまたはベルトであり、その外面が、その上に前記インク画像が形成される疎水性の外面である、請求項１〜９のいずれか１項に記載の印刷プロセス。
【請求項１１】
前記残留フィルムを前記基材上に転写する前に、前記インク画像が、前記水性キャリアの蒸発後に残る樹脂および着色剤の残留フィルムが軟化される温度に加熱される、請求項１〜１０のいずれか１項に記載の印刷プロセス。
【請求項１２】
前記中間転写部材上における前記残留フィルムの温度が前記基材の温度よりも高く、それにより、前記残留フィルムが前記基材への付着の最中に冷える、請求項１１に記載の印刷プロセス。
【請求項１３】
印刷システムであって、
インク画像を形成するためにインクの液滴が中間転写部材上に向けられる画像形成機構であって、前記インクが、有機ポリマー樹脂および着色剤を水性キャリア中に含み、前記転写部材が疎水性の外面を有し、それにより、前記インク画像における各インク液滴が、衝突時に前記中間転写部材上で広がって、インクフィルムを形成する、画像形成機構と、
前記インク画像が前記中間転写部材により運ばれる間に、樹脂および着色剤の残留フィルムを残すように、前記水性キャリアを前記インク画像から蒸発させることによって、前記インクが乾燥される乾燥機構と、
前記残留フィルムが前記中間転写部材から基材に転写される印圧付与機構であって、前記インクおよび前記中間転写部材の表面の化学組成が、各液滴の外皮中の分子と前記中間転写部材の表面上の分子との間の分子間引力が、前記中間転写部材の表面を濡らすことによって各液滴を広がらせることなく、前記水性キャリアの表面張力の作用下において、各液滴により生成されたインクフィルムの球形になる傾向を打ち消すように選択される、印圧付与機構と、
を備える、印刷システム。
【請求項１４】
前記印圧付与機構が、圧縮性の外面を有するかまたは圧縮性のブランケットを担持する加圧胴と、圧胴とを備え、前記中間転写部材が、前記加圧胴の周囲長よりも大きい長さを有するエンドレスベルトを備え、前記エンドレスベルトが、前記圧胴および前記加圧胴の間のニップを通過し、前記エンドレスベルトの長さの一部分のみの上で前記加圧胴に接触する、請求項１３に記載の印刷システム。
【請求項１５】
前記中間転写部材が、ガイドローラまたは支持面上に案内される圧縮性の層を組み込み、可動式のニップローラが圧胴に対して押し付けられることによって選択的に変形可能である走行面またはその領域を有するエンドレスブランケットである、請求項１３に記載の印刷システム。